(57)【要約】【課題】ユーザが、例えば、自宅と外出先のそれぞれにおいて体組成計を利用する場合に、ユーザに対して複雑で煩わしい設定作業を強いることなく、それぞれの体組成計の測定データをサーバにアップロードして、サーバにおいて測定データをセキュアに一元管理する仕組みを提供する。【解決するための手段】自宅の体組成計１０は、サーバ４０との間で認証情報の確立を行い（Ｓ１−１）、測定データをサーバ４０にアップロードする（Ｓ１−２）。体組成計１０は、この認証情報を携帯端末２０に送信する（Ｓ２）。携帯端末２０は外出先の体組成計１０´にこの認証情報を送信（Ｓ４）する。体組成計１０´はこの認証情報と測定データをサーバ４０にアップロードする（Ｓ５）。サーバ４０は、認証情報の一致性によって体組成計１０と体組成計１０´それぞれの測定データを一元管理する（Ｓ６）。【選択図】図１
2019016109.tif 000002
【特許請求の範囲】
【請求項１】
一つの体組成計の測定データと他の体組成計の測定データをサーバにアップロードして、それぞれの測定データを一元管理する生体情報管理方法であって、
一の体組成計が、前記サーバとの間で認証情報を確立するステップと、
携帯端末が、前記一の体組成計から前記サーバとの間で確立した認証情報を取得するステップと、
前記携帯端末が、前記取得した該認証情報を他の体組成計に送信するステップと、
前記他の体組成計が、該認証情報とともに測定データを前記サーバにアップロードするステップ、を備えることを特徴とする生体情報管理方法。
【請求項２】
前記他の体組成計が、前記サーバに測定データをアップロードすることが出来ない場合には、前記携帯端末が、前記他の体組成計から該測定データを取得して、該認証情報とともに測定データを前記サーバにアップロードするステップ、を備えることを特徴とする請求項１に記載の生体情報管理方法。
【請求項３】
一つの体組成計と、他の体組成計と、携帯端末と、前記一つの体組成計の測定データと前記他の体組成計の測定データとを一元管理するサーバと、を備える生体情報管理システムであって、
前記一の体組成計が、前記サーバとの間で認証情報を確立する手段と、
前記携帯端末が、前記一の体組成計から前記サーバとの間で確立した認証情報を取得する手段と、
前記携帯端末が、前記取得した該認証情報を前記他の体組成計に送信する手段と、
前記他の体組成計が、該認証情報とともに測定データを前記サーバにアップロードする手段と、を備えることを特徴とする生体情報管理システム。
【請求項４】
前記携帯端末は、前記他の体組成計から該測定データを取得する手段と、該認証情報とともに測定データを前記サーバにアップロードする手段と、を備えることを特徴とする請求項３に記載の生体情報管理システム。
【請求項５】
一つの場所と他の場所のそれぞれにおいて使用される体組成計であって、
サーバにおいて、前記一つの場所の測定データと前記他の場所の測定データとを一元管理出来るようにするために、
前記一つの場所における測定データを前記サーバにアップロードするときに前記サーバとの間で確立した認証情報を携帯端末に送信し、
前記他の場所における測定データを前記サーバにアップロードするときに、前記携帯端末から該認証情報を取得して、該認証情報とともに該測定データを前記サーバにアップロードする、ことを特徴とする体組成計。
【請求項６】
一つの場所と他の場所のそれぞれにおいて使用される体組成計と連携して使用される携帯端末であって、
サーバにおいて、前記一つの場所の測定データと前記他の場所の測定データとを一元管理出来るようにするために、
前記一つの場所において使用される体組成計から、該体組成計が測定データを前記サーバにアップロードするときに前記サーバとの間で確立した認証情報を取得し、
前記取得した認証情報を前記他の場所において使用される体組成計に送信して、
前記他の場所において使用される体組成計が、該認証情報とともに前記他の場所の測定データを前記サーバにアップロード出来るようにする、ことを特徴とする携帯端末。
【発明の詳細な説明】
【技術分野】
【０００１】
本発明は、生体情報管理方法、生体情報管理システム、体組成計及び携帯端末に関する。
【背景技術】
【０００２】
自宅で体組成計を使用しているユーザがスポーツジムや宿泊施設に設置されている体組成計を使用する機会がある。外出先で測定したデータをサーバにアップロードして、自宅で測定したデータと一元管理が出来るようになると便利である。
【０００３】
特許文献１には、体重計が、測定データをネットワークを介してコンピュータに送信して、コンピュータが測定データを見やすい形で整理する技術が開示されている。また、特許文献２には通信機能を備えた体組成計が、測定データをネットワークを介して第三者に通知する技術が開示されている。
【先行技術文献】
【特許文献】
【０００４】
【特許文献１】特開平１１−１５１２１１号公報
【特許文献２】特開２０１４−１８６４０２号公報
【発明の概要】
【発明が解決しようとする課題】
【０００５】
特許文献１及び２に記載の技術では、ユーザが自宅と外出先にそれぞれ設置されている体組成計を使用して、測定データを一元管理することは考慮されていない。外出先に設置されている体組成計の測定データをネットワークを介してコンピュータにアップロードしようとすると、外出先の体組成計に対してユーザ登録が必要になる。また、コンピュータ側でセキュアなデータ管理を行うための環境設定が必要になる。
【０００６】
本発明は、ユーザが、例えば、自宅と外出先のそれぞれにおいて体組成計を使用する場合に、ユーザに対して複雑で煩わしい設定作業を強いることなく、それぞれの体組成計の測定データをサーバにアップロードして、サーバ側でセキュアに生体情報を一元管理することが出来る仕組みを提供することを目的課題とする。
【課題を解決するための手段】
【０００７】
本発明の生体情報管理方法は、一つの体組成計の測定データと他の体組成計の測定データをサーバにアップロードして、それぞれの測定データを一元管理する生体情報管理方法であって、一の体組成計が、前記サーバとの間で認証情報を確立するステップと、携帯端末が、前記一の体組成計から前記サーバとの間で確立した認証情報を取得するステップと、前記携帯端末が、前記取得した該認証情報を他の体組成計に送信するステップと、前記他の体組成計が、該認証情報とともに測定データを前記サーバにアップロードするステップ、を備えることを特徴とする。
【０００８】
本発明の生体情報管理方法は、前記他の体組成計が、前記サーバに測定データをアップロードすることが出来ない場合には、前記携帯端末が、前記他の体組成計から該測定データを取得して、該認証情報とともに測定データを前記サーバにアップロードするステップ、を備えることを特徴とする。
【０００９】
本発明の生体情報管理システムは、一つの体組成計と、他の体組成計と、携帯端末と、前記一つの体組成計の測定データと前記他の体組成計の測定データとを一元管理するサーバと、を備える生体情報管理システムであって、前記一の体組成計が、前記サーバとの間で認証情報を確立する手段と、前記携帯端末が、前記一の体組成計から前記サーバとの間で確立した認証情報を取得する手段と、前記携帯端末が、前記取得した該認証情報を前記他の体組成計に送信する手段と、前記他の体組成計が、該認証情報とともに測定データを前記サーバにアップロードする手段と、を備えることを特徴とする。
【００１０】
本発明の生体情報管理システムは、前記携帯端末は、前記他の体組成計から該測定データを取得する手段と、該認証情報とともに測定データを前記サーバにアップロードする手段と、を備えることを特徴とする。
【００１１】
本発明の体組成計は、一つの場所と他の場所のそれぞれにおいて使用される体組成計であって、サーバにおいて、前記一つの場所の測定データと前記他の場所の測定データとを一元管理出来るようにするために、前記一つの場所における測定データを前記サーバにアップロードするときに前記サーバとの間で確立した認証情報を携帯端末に送信し、前記他の場所における測定データを前記サーバにアップロードするときに、前記携帯端末から該認証情報を取得して、該認証情報とともに該測定データを前記サーバにアップロードする、ことを特徴とする。
【００１２】
本発明の携帯端末は、一つの場所と他の場所のそれぞれにおいて使用される体組成計と連携して使用される携帯端末であって、サーバにおいて、前記一つの場所の測定データと前記他の場所の測定データとを一元管理出来るようにするために、前記一つの場所において使用される体組成計から、該体組成計が測定データを前記サーバにアップロードするときに前記サーバとの間で確立した認証情報を取得し、前記取得した認証情報を前記他の場所において使用される体組成計に送信して、前記他の場所において使用される体組成計が、該認証情報とともに前記他の場所の測定データを前記サーバにアップロード出来るようにする、ことを特徴とする。
【発明の効果】
【００１３】
本発明によれば、携帯端末が、自宅の体組成計とサーバとの間の認証情報を取得して、取得した認証情報を外出先の体組成計に送信して、外出先の体組成計は、その認証情報とともに測定データをサーバにアップロードする。これにより、自宅の体組成計の測定データと外出先の体組成計の測定データをサーバが一元管理することが出来る。外出先の体組成計とサーバのそれぞれに対して煩わしい設定作業が不要になる。また、サーバは、認証情報の一致性によりセキュアに測定データの一元管理を行うことが出来る。
【図面の簡単な説明】
【００１４】
【図１】生体情報管理システムの概要の説明図である。
【図２】生体情報管理システムの概要の他の説明図である。
【図３】生体情報管理システムの内部構成例である。
【図４】生体情報管理システムにおける生体情報の測定データの管理例である。
【図５】生体情報管理システムにおける認証情報の確立に係る説明図である。
【図６】生体情報管理システムにおける動作の手順例である。
【発明を実施するための形態】
【００１５】
図１を参照して、本発明の実施形態の概要を説明する。図１において、自宅に設置されている体組成計１０を使用するユーザが、外出先に設置されている体組成計１０´を使用する場合において、体組成計１０、１０´それぞれの測定データをサーバ４０にアップロードして、サーバ４０がそれぞれの測定データを一元管理するものとする。
【００１６】
体組成計１０は、体重等の生体情報の測定データをサーバ４０にアップロードするにあたり、サーバ４０との間で認証情報の確立を行う（Ｓ１−１）。体組成計１０は、サーバ４０との間で確立した認証情報とともに測定データをサーバ４０にアップロードする（Ｓ１−２）。
【００１７】
体組成計１０は、携帯端末２０からの要求に基づいて、サーバ４０との間で確立した認証情報を携帯端末２０に送信する（Ｓ２）。携帯端末２０は、取得した認証情報を端末内部に格納する（Ｓ３）。
【００１８】
ユーザが外出先に設置されている体組成計１０´を使用するときは、携帯端末２０から体組成計１０´に対して認証情報を送信して（Ｓ４）、体組成計１０´が、携帯端末１０から取得した認証情報とともに測定データをサーバ４０にアップロードする（Ｓ５）。  このように、体組成計１０とサーバ４０との間で確立された認証情報を体組成計１０´が利用することによって、サーバ４０は、自宅に設置されている体組成計１０の測定データと、外出先に設置されている体組成計１０´の測定データをセキュアに一元管理することが出来る（Ｓ６）。
【００１９】
図２は、外出先に設置されている体組成計１０´が測定データをサーバ４０にアップロードすることが出来ない場合の説明図である。図２では、体組成計１０´が通信エリアの圏外に設置されているような場合には、携帯端末２０が体組成計１０´から測定データを取得して（Ｓ４´）、携帯端末２０が、体組成計１０から取得した認証情報とともに体組成計１０´の測定データをサーバ４０にアップロードする（Ｓ５´）。このように、体組成計１０とサーバ４０との間で確立された認証情報を携帯端末２０が利用することによって、サーバ４０は、自宅に設置されている体組成計１０の測定データと、外出先に設置されている体組成計１０´の測定データをセキュアに一元管理することが出来る（Ｓ６）。
【００２０】
次に、図３を参照して、体組成計１０、１０´の内部構成例について説明する。体組成計１０と１０´は同一の構成である。図３において、体組成計１０は、ユーザ登録部１１、測定部１２、表示部１３、操作部１４、第１通信部（モバイル回線）１５、第２通信部（近距離無線回線）１６、記憶部１７、制御部１８を備えている。
【００２１】
ユーザ登録部１１は、体組成計１０を使用するユーザに関する情報を登録する。体組成計１０は、複数のユーザが共同で使用するため、ユーザの一人ひとりの氏名のほか、身長などのユーザ情報を予め登録することで、ユーザごとにそれぞれの測定データを記録し管理することが出来るようになっている。ユーザ情報の登録は、体組成計１０の表示部１３に表示されるガイダインスに従って登録することが出来る。
【００２２】
測定部１２は、体重、体脂肪率、ＢＭＩ、基礎代謝、内蔵脂肪率、身体年齢、骨レベルなどの生体情報を測定する。測定部１２は、体重や体の電気抵抗値から体組成計１０に乗ったユーザを自動的に認識する。測定データはユーザごとに自動的に区別されて記憶部１７に記憶される。
【００２３】
表示部１３は、体重、ＢＭＩ、基礎代謝等の測定データの値を表示する。測定データをサーバ４０にアップロードするときに用いるモバイル回線の受信レベルや圏外表示のほか、データの送信状態やエラー表示を行う。また、Ｂｌｕｅｔｏｏｔｈ（登録商標）回線を用いて携帯端末２０とのペアリングの動作表示、ユーザ情報の表示、電池残量等の表示を行う。表示部１３は、例えば液晶パネルを用いることが出来る。
【００２４】
操作部１４は、登録部１１にユーザ情報を登録する際に使用する「ＯＫ」、「クリア」、「上へ」、「下へ」等のキー操作を行う。
【００２５】
第１通信部（モバイル回線）１５は、例えば、３Ｇ、４Ｇ等の携帯電話回線を用いてサーバ４０との間で通信を行う。体組成計１０は、第１通信部（モバイル回線）１５を用いてサーバ４０との間で認証情報の確立を行い測定データをアップロードする。
【００２６】
第２通信部（近距離無線回線）１６は、例えば、Ｂｌｕｅｔｏｏｔｈ回線を用いて携帯端末２０との間で通信を行う。体組成計１０は、第２通信部（近距離無線回線）１６を用いて携帯端末２０との間でペアリングを行って携帯端末２０に認証情報を送信する。また、第２通信部（近距離無線回線）１６を用いて測定データを携帯端末２０に送信することも出来る。
【００２７】
記憶部１７は、ユーザ登録部１１によって登録されたユーザ情報と、測定部１２によって測定されたデータを記憶する。また、体組成計１０の動作を制御する各種プログラムを格納している。
【００２８】
制御部１８は、ＣＰＵ等の制御デバイスであり、記憶部１７に格納されているプログラムが起動され実行されると、体組成計１０を構成する各機能部の動作が実行される。
【００２９】
次に、同じく図３を参照して、サーバ４０の構成について説明する。サーバ４０は、例えば、通信事業者やヘルスケア事業者によって運営されるクラウドコンピュータである。サーバ４０は、通信部（モバイル回線）４１、データ管理部４２、ユーザ管理部４３を備えている。
【００３０】
通信部（モバイル回線）４１は、体組成計１０、１０´との間で３Ｇ、４Ｇ等の携帯電話回線を用いて通信を行う。サーバ４０は、通信部（モバイル回線）４１を用いて体組成計１０、１０´から認証情報とともに測定データを受信する。また、通信部（モバイル回線）４１は、携帯端末２０との間においても同様に３Ｇ、４Ｇ等の携帯電話回線を用いて通信を行う。  
【００３１】
データ管理部４２は、体組成計１０、１０´からそれぞれアップロードされた測定データを記憶し蓄積する。これらの測定データは、ユーザごとに区別されて一元管理が行われる。また、図示しない制御部がデータ管理部４２に蓄積されている測定データを統計処理して、ユーザに対する健康アドバイス情報を作成して体組成計１０、１０´や携帯端末２０に送信することが出来る。
【００３２】
図４に、サーバ４０における体組成計１０、１０´の測定データを一元管理する例を示す。体組成計１０、１０´からそれぞれアップロードされた測定データは、測定日時、測定機器（体組成計１０、１０´）ごとに記憶され蓄積される。これらの測定データの項目として、体重、体脂肪率、ＢＭＩ、基礎代謝、内蔵脂肪レベル、身体年齢、骨レベル等のデータを取り扱うことが出来る。
【００３３】
図３に戻って、ユーザ管理部４３は、体組成計１０を使用するユーザの登録を行う。ユーザ管理部４３は、体組成計１０からユーザ登録要求を受信すると、認証情報を払い出して、体組成計１０との間で認証情報の確立を行う。サーバ４０は、他の体組成計１０´から、この認証情報とともに測定データがアップロードされてくることで、認証情報の一致性によって体組成計１０、１０´それぞれの測定データの一元管理を可能にする。この認証情報は、サーバ４０と体組成計１０を一意に対応づけることが出来る情報であり、例えば、ＵＩＤ（ユーザＩＤ）を用いることが出来る。
【００３４】
次に、同じく図３を参照して、携帯端末２０の内部構成例について説明する。携帯端末２０は、認証情報管理部２１、データ処理部２２、表示部２３、操作部２４、第１通信部（モバイル回線）２５、第２通信部（近距離無線回線）２６、記憶部２７、制御部２８を備える。また、記憶部２７は、生体情報管理用アプリ３０が格納されている。
【００３５】
認証情報管理部２１は、体組成計１０がサーバ４０との間で確立した認証情報を体組成計１０から取得する。携帯端末２０は、体組成計１０から取得した認証情報（例えば、ＵＩＤ）を他の体組成計１０´に送信する。他の体組成計１０´は、この認証情報とともに測定データをサーバ４０にアップロードする。
【００３６】
データ処理部２２は、他の体組成計１０´が測定データをサーバにアップロードすることが出来ない場合には、他の体組成計１０´から測定データを取得して、認証情報管とともにその測定データを第１通信部（モバイル回線）２５からサーバ４０にアップロードする。
【００３７】
表示部２３は、第１通信部（モバイル回線）２５の受信レベル表示、第２通信部（近距離無線回線）２６の状態表示、体組成計１０、１０´とのペアリングの動作表示、電池残量等の表示を行う。また、表示部２３は、記憶部２７に格納されている生体情報管理用アプリ３０の実行状態を表示する。表示部２３は、例えば液晶パネルを用いることが出来る。
【００３８】
操作部２４は、第２通信部（近距離無線回線）２６を用いて体組成計１０、１０´との間でペアリングを行うときのキー操作を行う。また、操作部２４は、生体情報管理用アプリ３０の実行を操作する。
【００３９】
第１通信部（モバイル回線）２５は、例えば、３Ｇ、４Ｇ等の携帯電話回線を用いてサーバ４０との間で通信を行う。携帯端末２０は、他の体組成計１０´から測定データを取得してサーバ４０にアップロードする場合には、第１通信部（モバイル回線）２５を用いて認証情報とともに測定データをサーバ４０に送信する。
【００４０】
第２通信部（近距離無線回線）２６は、例えば、Ｂｌｕｅｔｏｏｔｈ回線を用いて体組成計１０、１０´との間で通信を行う。携帯端末２０は、第２通信部（近距離無線回線）２６を用いて体組成計１０、１０´との間でペアリングを行う。携帯端末２０は、第２通信部（近距離無線回線）２６を用いて体組成計１０から認証情報を取得し、第２通信部（近距離無線回線）２６を用いて体組成計１０´に認証情報を送信する。携帯端末２０は、第２通信部（近距離無線回線）２６を用いて体組成計１０´から測定データを取得することが出来る。
【００４１】
記憶部２７は、ＯＳ（Operating System）や各種のソフトウェアがインストールされている。本実施の形態では、インストールされたソフトウェアの一つに、生体情報管理用アプリ３０が含まれる。記憶部２８には、体組成計１０´から取得した測定データを記憶してもよい。
【００４２】
制御部２８は、ＣＰＵ等のプログラム制御デバイスであり、記憶部２７にインストールされているプログラムに従って動作する。制御部２８は、生体情報管理用アプリ３０を実行することで、情報処理に係る汎用機能と連携して、体組成計１０、１０´とのペアリング、体組成計１０からの認証情報（例えば、ＵＩＤ）の取得、取得した認証情報の管理、他の体組成計１０´への認証情報の送信、体組成計１０´からの測定データの取得、取得した測定データのサーバ４０へのアップロード等、一連の処理を行う。
【００４３】
生体情報管理用アプリ３０は、制御部２８によって前述の動作を実行するプログラムである。アプリ３０は、携帯端末２０の記憶部２７に予めプリインストールされていてもよいし、第１通信部（モバイル回線）２５を介してサーバ４０からダウンロードされて記憶部２７に格納されてもよい。
【００４４】
次に、図５を参照して、体組成計１０とサーバ４０との間の認証情報の確立について説明する。図５において、体組成計１０は、第１通信部（モバイル回線）１５を用いてサーバ４０の通信部（モバイル回線）４１と通信が可能である。体組成計１０は、ユーザがサービス利用契約に基づいてサーバ４０にサインインしてユーザ登録を行うことが出来るようになっている。体組成計１０は、例えば、自身の電話番号、自身の装置ＩＤ、パスワード等を用いてサーバ４０にログインして、ユーザ情報の登録を行う（Ｓ５０１）。
【００４５】
サーバ４０は、ユーザ管理部４３にユーザ情報の登録を行うとともに認証情報を払い出す（Ｓ５０２）。認証情報として、例えば、ＵＩＤ（User ID）を払い出す。サーバ４０は、ステップＳ５０１でユーザ登録を行うと、データ管理部４２に当該ユーザのデータ記憶領域を作成して、ステップＳ５０２で払い出した認証情報（ＵＩＤ）と対応づけを行う。
【００４６】
サーバ４０は、払い出した認証情報（ＵＩＤ）を体組成計１０に送信する（Ｓ５０３）と、体組成計１０は、その認証情報（ＵＩＤ）を記憶部１７に記憶して認証情報が確立される（Ｓ５０４）。
【００４７】
ユーザが体組成計１０を使用して体重等の生体情報の測定を行うと、体組成計１０は、測定データをサーバ４０に送信する。このとき、体組成計１０は、ステップＳ５０４で記憶部１７に記憶した認証情報（ＵＩＤ）を読み出して、認証情報（ＵＩＤ）とともに測定データをサーバ４０に送信する（Ｓ５０５）。
【００４８】
サーバ４０は、体組成計１０から取得した認証情報（ＵＩＤ）が、ステップＳ５０２において払い出した認証情報（ＵＩＤ）と一致した場合に、データ管理部４２に設けた当該ユーザの記憶領域にその測定データを記憶し管理する（Ｓ５０６）。
【００４９】
次に、図６を参照して、この認証情報（ＵＩＤ）を用いて他の体組成計１０´の測定データをサーバ４０にアップロードする手順について説明する。図６において、体組成計１０を使用するユーザが携帯端末２０のアプリ３０を起動すると、携帯端末２０の制御部２８によってアプリ３０が実行されて、携帯端末２０は体組成計１０から認証情報（ＵＩＤ）を取得する手順を開始する。
【００５０】
携帯端末２０は、体組成計１０から認証情報（ＵＩＤ）を取得するに先立ち、体組成計１０との間のペアリングの動作を開始する。携帯端末２０は、第２通信部（近距離無線回線）２６を用いて体組成計１０の第２通信部（近距離無線回線）１６に対してペアリング要求を行う（Ｓ６０１）と、体組成計１０はペアリング応答（Ｓ６０２）を返送して、携帯端末２０と体組成計１０のペアリングを完了する。
【００５１】
次に、携帯端末２０は、体組成計１０に対して認証情報要求を送信する（Ｓ６０３）。体組成計１０は、その認証情報要求を受信すると、前述のステップＳ５０４において記憶部１７に記憶した認証情報（ＵＩＤ）を読み出して携帯端末２０に送信する。このとき、体組成計１０は、ステップＳ５０５において測定データをアップロードしたサーバ４０のデータ格納場所を示すＵＲＬを認証情報（ＵＩＤ）とともに携帯端末２０に送信する（Ｓ６０４）。携帯端末２０は、この認証情報（ＵＩＤ）とＵＲＬを記憶部２７に記憶する（Ｓ６０５）。
【００５２】
このあと、ユーザが携帯端末２０を持ってスポーツジムに出かけて、他の体組成計１０´を使用して体重等の生体情報を測定する。ユーザが携帯端末２０のアプリ３０を起動すると、携帯端末２０の制御部２８によってアプリ３０が実行されて、携帯端末２０は、体組成計１０´の測定データをサーバ４０にアップロードするための手順を実行する。
【００５３】
まず、携帯端末２０は、体組成計１０´との間のペアリングの動作を開始する。携帯端末２０は、第２通信部（近距離無線回線）２６を用いて体組成計１０´の第２通信部（近距離無線回線）１６に対してペアリング要求を行う（Ｓ６０６）と、体組成計１０´はペアリング応答（Ｓ６０７）を返送して、携帯端末２０と体組成計１０´のペアリングを完了する。
【００５４】
次に、携帯端末２０は、ステップＳ６０５で記憶部２７に記憶した認証情報（ＵＩＤ）とサーバ４０のデータ格納場所を示すＵＲＬを読み出して、第２通信部（近距離無線回線）２６から体組成計１０´に送信する（Ｓ６０８）。
【００５５】
体組成計１０´は、携帯端末２０から取得した認証情報（ＵＩＤ）とともに測定データを第１通信部（モバイル回線）１５を用いてサーバ４０にアップロードする（Ｓ６０９−１）。このとき、体組成計１０´は、携帯端末２０から取得したサーバ４０のデータ格納場所を示すＵＲＬを宛先に指定する。
【００５６】
サーバ４０は、体組成計１０´から送信されてきた認証情報（ＵＩＤ）が、ステップＳ５０２において払い出した認証情報（ＵＩＤ）と一致した場合に、データ管理部４２に設けられた当該ユーザの記憶領域（体組成計１０に対して作成された記録領域）に、体組成計１０´の測定データを記憶する。このようにして、体組成計１０と体組成計１０´のそれぞれぞれの測定データは、サーバ４０においてセキュアに一元管理することが出来る。
【００５７】
ここで、体組成計１０´が通信エリアの圏外等の環境に設置されていると、第１通信部（モバイル回線）１５を用いて測定データをサーバ４０にアップロードすることが出来ない（Ｓ６０９−２）。その場合には、携帯端末２０は、第２通信部（近距離無線回線）２６を用いて体組成計１０´から測定データを取得して（Ｓ６１０）、第１通信部（モバイル回線）２５を用いてサーバ４０に測定データをアップロードする（Ｓ６１１）。この場合、携帯端末２０は、サーバ４０のデータ格納場所を示すＵＲＬを宛先に指定して、認証情報（ＵＩＤ）とともに測定データをサーバ４０にアップロードするので、サーバ４０において、認証情報（ＵＩＤ）に一致性によって、体組成計１０と体組成計１０´のそれぞれぞれの測定データをセキュアに一元管理することが出来る。
【００５８】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。その様な変更又は改良を加えた形態も本発明の技術的範囲に含まれ得ることが、特許請求の範囲の記載から明らかである。
【００５９】
特許請求の範囲、明細書、及び図面中において示した装置、システム、プログラム、及び方法における動作、手順、ステップなどの各処理の実行順序は、前の処理の出力を後の処理で用いるのでない限り、順序を変更して実現することが出来る。特許請求の範囲、明細書、及び図面中の動作フローに関して、便宜上「まず、」、「次に、」などを用いて説明したとしても、この順で実施することが必須であることを意味するものではない。
【符号の説明】
【００６０】
１０    体組成計
１０´  他の体組成計
２０    携帯端末
３０    生体情報管理用アプリ
４０    サーバ
【図１】
2019016109.tif 000003
【図２】
2019016109.tif 000004
【図３】
2019016109.tif 000005
【図４】
2019016109.tif 000006
【図５】
2019016109.tif 000007
【図６】
2019016109.tif 000008